(57)【要約】  被験者に違和感を与えることなく生体情報を取得し、生理学情報、メンタル情報に変換し、被験者にフィードバックすることにより効率的な訓練を可能とするシステムを提供する。  ２０Ｎ以下の２０％伸張応力を有する生地を少なくとも用いた、衣服圧が０．１ｋＰａ以上１．５ｋＰａ以下であり、衣服圧が０．３ｋＰａ以上となる部分に皮膚接触型電極を有する事を特徴とする衣服型生体情報計測装置を用いた生体情報提示システムを構成し、該衣服型生体情報計測装置を被験者に着用させ、得られた心電情報からＲＲＩ、副交感神経活動の指標、交感神経活動の指標を算出し、端末機器に二次元的に結果を提示し、それに基づいて行動提示することにより効率的な訓練を実現する。
2019077984.tif 000002
【特許請求の範囲】
【請求項１】
被験者の心電情報から得られる、拍動間隔と副交感神経系活動の指標を、直交座標系の各々の座標軸に取り、生体情報を二次元的に図示することにより被験者の心理・生理学状態を表示することを特徴とする生体情報提示システム。
【請求項２】
被験者の心電情報から得られる、拍動間隔と交感神経系活動の指標を、直交座標系の各々の座標軸に取り、生体情報を二次元的に図示することにより被験者の心理・生理学状態を表示することを特徴とする生体情報提示システム。
【請求項３】
前記拍動間隔として、心電信号におけるＲ波とＲ波との間隔であるＲＲIを用いる請求項１、または、請求項２に記載の生体情報提示システム。
【請求項４】
拍動間隔を周波数スペクトル変換するステップを含んで得たパワースペクトルを周波数Ｌf1からＬf2まで定積分した値であるＬＦと、前記パワースペクトルを周波数Ｈf1からＨf2まで定積分した値であるＨＦを算出するステップを有し、前記副交感神経系活動の指標としてＨＦを、前記交感神経系活動の指標として（ＬＦ／ＨＦ）を用いることを特徴とする請求項１〜請求項３のいずれかに記載の生体情報提示システム。なお、ここで、Ｈf1＞Ｌf1、Ｈf2＞Ｌf2である。
【請求項５】
前記心電情報の取得が衣服型の生体情報計測装置によることを特徴とする請求項１〜請求項４のいずれかに記載の生体情報提示システム。
【請求項６】
前記衣服型の生体情報計測装置が    ２０Ｎ以下の２０％伸張応力を有する生地を少なくとも用いており、    衣服圧が０．１ｋＰａ以上１．５ｋＰａ以下であり、    衣服圧が０．３ｋＰａ以上となる部分に皮膚接触型電極を有する事を特徴とする請求項１〜請求項５のいずれかに記載の生体情報提示システム。
【請求項７】
前記皮膚接触型電極が、導電性ファブリックを用いた電極である事を特徴とする請求項６に記載の生体情報提示システム。
【請求項８】
前記皮膚接触型電極が、伸縮性導体組成物を用いた電極である事を特徴とする請求項６に記載の生体情報提示システム。
【請求項９】
前記皮膚接触型電極が、導電性ゲルを用いた電極である事を特徴とする請求項６に記載の生体情報提示システム。
【請求項１０】
前記表示された被験者の心理・生理学状態に応じて、あらかじめケースバイケースに準備された行動指示を被験者に伝える手段を有する事を特徴とする請求項１〜請求項９のいずれかに記載の生体情報提示システム。
【請求項１１】
請求項１〜請求項１０のいずれかに記載の生体情報提示システムを用いて、作業訓練を行う事を特徴とする訓練方法。
【請求項１２】
前記作業がスポーツである事を特徴とする請求項１０または請求項１１に記載の訓練方法。
【請求項１３】
前記作業が楽器演奏であることを特徴とする請求項１０または請求項１１に記載の訓練方法。
【請求項１４】
前記作業が機械操作である事を特徴とする請求項１０または請求項１１に記載の訓練方法。   
【発明の詳細な説明】
【技術分野】
【０００１】    衣服型の生体情報計測装置、すなわちウェアラブルセンシングデバイスを用いて得られた生体情報を、被着者の精神状態およびまたは生理学状態を表す情報に変換し、該情報を被着者およびまたは第三者にリアルタイムに提示するシステムに関し、さらに詳しくはかかるシステムを用いて機械操作、スポーツ、楽器演奏などの訓練を行う訓練方法に関する。
【背景技術】
【０００２】    スポーツ選手、アスリート、武道家、などの訓練、各種作業訓練、自己啓発などにおいて、メンタル状態を把握して訓練に活かす試みがなされている。【０００３】    特許文献１には、機械作業中の作業者の満足感を脳波で計測し、作業者に満足感の状態をフィードバックし、さらには、機械へもフィードバックをかけることが記載されている。この方法は、脳波という生理データから満足感を評価する手法であるが、満足感という感覚は複合的な感覚であり、具体的なメンタル状態を評価することはできない。例えば、リラックスして満足なのか、眠気を生じることで満足なのか、覚醒していることで満足なのか、そのような具体的なメンタル状態は把握できない。    また、脳波から重要な生理情報を得ることができるが、それだけでは、具体的なメンタル状態を十分評価することは難しい。また、本特許は、作業者に満足感の状態をフィードバックすることができるが、それを知った作業者が自らの意思で自分の状態を変化させて、その効果を把握し、自分のメンタル状態をコントロールすることができるような訓練システムではない。【０００４】    特許文献２は、ゲームの操作速度（反応速度）と心理状態とＡＣＴＨ（副腎皮質刺激ホルモン）の生理データとの対応関係を把握して、心理状態を判定するシステムである。ＡＣＴＨでストレスを評価することは一般的であるが、本特許の心理状態がどのような心理状態を把握するかは明確にされておらず、具体的でない。また、心理状態の判定結果をユーザーに知らせるシステムであるが、その結果を受けて、ユーザー自らがメンタル状態をコントロールして心理状態を変化させてその結果を確認できる、という訓練システムではない。ＡＣＴＨはリアルタイムで結果を出せる指標ではないので、技術的に困難だと思われる。また、ＡＣＴＨでは、リラックス、覚醒、眠気、緊張などの、具体的なメンタル状態を評価することは難しい。【０００５】    特許文献３は、脳波を検出して、その脳波情報から快適性を評価し、判定結果に基づいて機器を制御するシステムである。脳波のみで、リラックス、覚醒を脳波で評価することができるとされているが、心電のデータを加えた方が、より精度が上がる。また、本特許は、快適性を評価した結果を受けて、機器を制御するシステムであり、自分で自己のメンタル状態を変化させ、その効果を把握するような訓練システムではない。【０００６】    特許文献４は、自動車乗員のぼんやり度を運転者の視線の動きをＣＣＤカメラで撮影し、画像解析した結果から判断し、ぼんやり度が高くなる警報を出力する装置である。メンタル状態は、「ぼんやり度」という具体的な内容であるが、生理データではなく、表情を撮影することにより評価する方法である。また、判断結果については、機械へのフィードバックであり、人がその結果を受けて自らのメンタル状態をコントロールすることを試みるものではない。【０００７】    特許文献５では、乳幼児の生理情報を計測し、心理状態を推定し、乳幼児に異変がおきたと判断された場合は、緊急通報手段で通報を行なうことができるシステムである。生理値は、脈拍を計測しており、眠たくて泣いている、あるいは、うつ伏せ寝で危険な状態にあるかどうか、など��判断することができる。判断結果を知らせることはできるが、人がその結果を受けて自らをコントロールすることを試みるものではない。【０００８】    上記の特許文献に記載されているように、従来、生理情報を計測し、心理状態を推定し、評価結果を表示する、あるいは、さらに、機械へフィードバックする、というシステムは構築されている。しかし、経時的に、リアルタイムで、被計測者にメンタル状態を提示し続けるシステムではない。そのため、生理計測値から評価され、提示されたメンタル状態を受けて、被計測者が自らのメンタル状態をコントロールする訓練はできない。【０００９】    また、生理計測値が脳波のみ、唾液（ＡＣＴＨ）のみ、脈拍のみ、という単一の計測値で評価することが多い。もちろん、単一の計測値でもある程度の心理状態は推定できるが、具体的なメンタル状態を精度良く推定するためには、複数の指標を用いることが望ましい。脈拍は自律神経活動を表し、脳波は中枢神経活動を表すので、特定のメンタル状態は評価できるが、複合的で具体的なメンタル状態を評価することは難しい。また、メンタル訓練を目的としていないので、結果を表示した段階でシステムを終了し、結果を受けて訓練をしてその効果を自分で知るシステムではない。または、機械へフィードバックをかける文献が多く、被計測者へ次の具体的方向を指示するシステムにはなっていない。【００１０】  特許文献６には脳波情報と心電情報の両方を利用してメンタル状態を把握し、被測定者にフィードバックすることによりメンタル訓練を行うメンタル訓練システムが開示されている。脳波情報と心電情報の両方を用いる事によりメンタル状態の的確な把握が可能となる。しかしながら、心電信号がｍＶレベルであるのに対して、脳波情報はμＶ程度の微小信号であり、実験室内では信号取得が可能であっても、屋外で、ましてや激しい運動や実作業現場のように雑音が多い環境下での測定は極めて困難である。【００１１】  さらに、心電測定においても、健康診断にて用いるような心電計を装着した状態で激しいスポーツや実作業を行うことは難しく、加えてそのような測定装置を身体に装着していること自体がストレスであるため、かかる機器を装着した状態のメンタル情報を把握したところで、実際の状態とは解離が生じており、適切な訓練に用いる事は難しい。
【先行技術文献】
【特許文献】
【００１２】
【特許文献１】特開平１０−２６２９４２号公報
【特許文献２】特開平２００４−２６７２９６号公報
【特許文献３】特開平８−７１０５０号公報
【特許文献４】特開平８−２９０７２５号公報
【特許文献５】特開２００４−１８１２１８号公報
【特許文献６】特許４８４４５２３号公報
【発明の概要】
【発明が解決しようとする課題】
【００１３】    本発明は、このような事情に鑑みてなされたものであり、その目的は、着用が容易で、かつ着用時に着用者に違和感を与えない衣服型の生体情報計測装置を用いてメンタル状態を把握し、フィードバックすることにより訓練に活かすことができる訓練システムを提供することにある。
【課題を解決するための手段】
【００１４】  本発明者らは、上記目的を達成すべく鋭意検討した結果、着用が容易で、かつ着用時に着用者に違和感を与えない衣服型の生体情報計測装置（センシングウェア、またはウェアラブル・スマート・デバイス）を開発し、その衣服型の生体情報計測装置を活かした生体情報提示システムおよびそのシステムを利用した訓練方法を発明した。【００１５】  すなわち本発明は、以下の構成である。［１］  被験者の心電情報から得られる、拍動間隔と副交感神経系活動の指標を、直交座標系の各々の座標軸に取り、生体情報を二次元的に図示することにより被験者の心理・生理学状態を表示することを特徴とする生体情報提示システム。［２］  被験者の心電情報から得られる、拍動間隔と交感神経系活動の指標を、直交座標系の各々の座標軸に取り、生体情報を二次元的に図示することにより被験者の心理・生理学状態を表示することを特徴とする生体情報提示システム。［３］  前記拍動間隔として、心電信号におけるＲ波とＲ波との間隔であるＲＲIを用いる［１］または［２］に記載の生体情報提示システム。［４］  拍動間隔を周波数スペクトル変換するステップを含んで得たパワースペクトルを周波数Ｌf1からＬf2まで定積分した値であるＬＦと、前記パワースペクトルを周波数Ｈf1からＨf2まで定積分した値であるＨＦを算出するステップを有し、前記副交感神経系活動の指標としてＨＦを、前記交感神経系活動の指標として（ＬＦ／ＨＦ）を用いることを特徴とする［１］または［２］に記載の生体情報提示システム。  なお、ここで、Ｈf1＞Ｌf1、Ｈf2＞Ｌf2である。［５］  前記心電情報の取得が衣服型の生体情報計測装置によることを特徴とする［１］〜［４］のいずれかに記載の生体情報提示システム。［６］  前記衣服型の生体情報計測装置が    ２０Ｎ以下の２０％伸張応力を有する生地を少なくとも用いており、    衣服圧が０．１ｋＰａ以上１．５ｋＰａ以下であり、    衣服圧が０．３ｋＰａ以上となる部分に皮膚接触型電極を有する事を特徴とする［１］〜［５］のいずれかに記載の生体情報提示システム。［７］  前記皮膚接触型電極が、導電性ファブリックを用いた電極である事を特徴とする［６］に記載の生体情報提示システム。［８］  前記皮膚接触型電極が、伸縮性導体組成物を用いた電極である事を特徴とする［６］に記載の生体情報提示システム。［９］  前記皮膚接触型電極が、導電性ゲルを用いた電極である事を特徴とする［６］に記載の生体情報提示システム。［１０］  前記表示された被験者の心理・生理学状態に応じて、あらかじめケースバイケースに準備された行動指示を被験者に伝える手段を有する事を特徴とする［１］〜［９］のいずれかに記載の生体情報提示システム。［１１］  前記［１］〜［１０］のいずれかに記載の生体情報提示システムを用いて、作業訓練を行う事を特徴とする訓練方法。［１２］  前記作業がスポーツである事を特徴とする［１０］または［１１］に記載の訓練方法。［１３］  前記作業が楽器演奏であることを特徴とする［１０］または［１１］に記載の訓練方法。［１４］  前記作業が機械操作である事を特徴とする［１０］または［１１］に記載の訓練方法。【００１６】  さらに本発明は以下の構成を有する事が好ましい。［１５］  ��記［４］または［５］に記載の衣服型の生体情報計測装置が、伸縮性導電材料からなる配線を有することを特徴とする生体情報提示システム。［１６］  前記伸縮性導電材料として、伸縮性の導体組成物の層（フィルム、シート、メンブレン）を用いる事を特徴とする生体情報提示システム。［１７］  前記伸縮性導電材料として、ジグザグステッチにて生地に縫い込んだ導電性糸を用いる事を特徴とする生体情報提示システム。［１８］  前記伸縮性導電材料として、ニット編み地に組み込んだ導電糸を用いる事をＴ句チュとする生体情報提示システム。［１９］  前記伸縮性導電材料として、冗長性を持って配置された電線ないし金属箔パターン等を用いる事を特徴とする生体情報提示システム。［２０］  被験者の心電情報から得られる、拍動間隔と副交感神経系活動の指標を、直交座標系の各々の座標軸に取り、二次元的に図示した生体情報と、拍動間隔と交感神経系活動の指標を、直交座標系の各々の座標軸に取り、二次元的に図示した生体情報の両方を同時に提示することを特徴とする［３］〜［１０］、［１５］〜［１９］のいずれかに記載の生体情報提示システムおよび［１１］〜［１４］のいずれかに記載の訓練方法。
【発明の効果】
【００１７】  本発明における拍動間隔は、肉体が直接的に受けているストレスを反映した値と云える。一方で副交感神経活動の指標は自律神経のリラックス度合いを表す指標で有り、交感神経活動の指標は自律神経の活性度合いを表す指標である。本発明では拍動間隔を例えば横軸に、副交感神経活動系の指標ないし（あるいは）交感神経活動の指標を縦軸に取り、まず、平常時の各々の状態をプロットし、次いで訓練（トレーニング）時、あるいは試合時などの状態をプロットすることにより、平常時に比較してストレス下にある場合、自律神経系の活動がどのように活性化しているかを本人ないしはコーチが直観的に把握することができる。  かかるシステムを利用して訓練を行う事により、交感神経活動、副交感神経活動を意識的にコントロールすることができるようになる。かかる訓練を繰り返すことにより、本試合時に必要以上に緊張したり、あるいは弛緩しすぎていたりすることがないように矯正することができるようになる。さらに、あらかじめ個人の特性に応じて、被験者の心理・生理学状態に応じた行動指示をストックしておき、提示された生体情報に応じてかかる指示を自動的に、ないしは被験者の操作により出す仕組みを取り入れておけば、さらに自律的な訓練が可能となり、試合時などコーチの指示を受けることが出来ない場合にも、本システムを有効に用いる事ができる。【００１８】  本発明では、脳波情報を用いる事無く、心電情報だけで、訓練に必要な情報を得ることが出来る。脳波情報は心電信号に比較して微弱であり、ノイズに弱いため、特にＩｎ−Ｓｉｔｕにて検出することが難しい。また脳波取得のためには頭部に電極を設置しなくてはならず、激しい動きや、衝突などが生じる可能性のある動作時には取得が困難である。本発明では心電情報のみを用いて、肉体が直接的に受けているストレスを反映した値と同時に副交感神経活動の指標、交感神経活動の指標といった心理・精神面が作用しやすい自律神経の活性度合いを得ることができ、さらにそれらを二次元的に表現することにより、心電情報のみを用いて心理・生理学状態を把握することが可能となる。  【００１９】  また、本発明においては衣服型の生体情報計測装置を用いて心電情報を取得することが好ましく、かかる衣服型の生体情報計測装置は、適度な衣服圧を有するため、着用者に違和感を抱かせずに着用させることができる。さらに生体情報を検出するための皮膚接触型電極を適切な接触圧の部分に配置するため、信号取得が確実に行え、しかも電極部に特有の違和感を着用者に与えない。結果として生体情報計測装置を着用した状態で、スポーツ、作業、などの動作を自然な状態で行う事が出来るため、自然な心電情報をＩｎ−Ｓｉｔｕに取得することができる。また生体情報計測装置が人体に比較的緊密に接しているために人体自体が雑音のバッファとして作用し、ＳＮ比が改善される。
【図面の簡単な説明】
【００２０】
【図１】図１は典型的な心電波形の一例である。
【図２】図２は心電波形の周波数分析からＬＦ、ＨＦを求める概念の説明図である。
【図３】図３は本発明の生体情報提示システムのブロックダイヤグラムである。
【図４】図４は横軸にＲＲＩを縦軸に副交感神経活動の指標をプロットした場合の一例である。
【図５】図５は横軸にＲＲＩを縦軸に交感神経活動の指標をプロットした場合の一例である。
【発明を実施するための形態】
【００２１】  本発明の生体情報計測装置において心電情報から拍動間隔、副交感神経活動の指標、交感神経活動の指標を求める方法に付いて説明する。  心電情報は電気信号として取得できる。これらは生体接触型電極を介して経時的に電圧測定を行えば良い。  拍動間隔とは心拍あるいは脈拍の間隔を指す（単位：ｍｓ）。心拍間隔は、心電図からＲ波とＲ波の間隔を読み取ること、あるいは隣り合う心拍同士の間隔を計測することにより取得する。脈拍間隔は、隣り合う脈拍同士の間隔を計測することにより取得する。拍動間隔またはその揺動は、精神神経の状態を示しているといわれている。拍動間隔またはその搖動は、身体的・精神的ストレスの指標になるといわれており、自律神経系である交感神経・副交感神経の精神神経状態のバランスを反映している。
【００２２】  拍動間隔として、心電信号におけるＲ波とＲ波との間隔であるＲＲ間隔（以下、「ＲＲＩ」と記載する）を用いることが好ましい。ＲＲＩは信号のピークがはっきり出ることによりピーク位置の誤認識が起こりにくいため、拍動間隔の精度を高められる。
【００２３】  本発明の交感神経系活動の指標、副交感神経系活動の指標としては、拍動間隔を周波数スペクトル解析して得られた値を用いることが出来る。より具体的には、拍動間隔を周波数スペクトル変換するステップを含んで得たパワースペクトルを周波数Ｌf1からＬf2まで定積分した値であるＬＦと、前記パワースペクトルを周波数Ｈf1からＨf2まで定積分した値であるＨＦを算出するステップを有し、前記副交感神経系活動の指標としてＨＦを、前記交感神経系活動の指標として（ＬＦ／ＨＦ）を用いることができる。なお、ここで、Ｈf1＞Ｌf1、Ｈf2＞Ｌf2である。
【００２４】  例えば、ＬＦは、時間信号ｆである拍動間隔を周波数スペクトル変換したもの（周波数スペクトルＦ）を二乗することにより得られるパワースペクトルＦ2（第１のパワースペクトル）を周波数Ｌf1からＬf2まで定積分した値であり、ＨＦは、前記パワースペクトルＦ2（第１のパワースペクトル）を周波数Ｈf1（＞Ｌf1）からＨf2（＞Ｌf2）まで定積分した値とすることができる。  第１のパワースペクトルＦ2を用いて計算されるＬＦ、ＨＦの単位はｍｓ２である。周波数スペクトル変換の方法としては、例えば高速フーリエ変換（ＦＦＴ）、ウェーブレット解析、最大エントロピー法などを用いることができる。なお、本明細書においては、ＦＦＴを用いた場合を例として説明するが、もちろん他の方法を用いることも可能である。
【００２５】  ＬＦ、ＨＦの詳細な算出方法について、図２を用いて説明する。図２は、本発明に係るパワースペクトル積分の説明図である。図２の縦軸はパワースペクトル密度（単位：ｍｓ2／Ｈｚ）であり、横軸は周波数（単位：Ｈｚ）である。ＬＦは、パワースペクトル（例えば第１のパワースペクトルＦ2）を例えば０．０４Ｈｚ（Ｌf1）から０．１５Ｈｚ（Ｌf2）まで定積分した値であり、図１において斜線によりハッチングがされている部分の面積である。ここで、Ｌｆ１＜Ｌf2である。一方、ＨＦは、パワースペクトル（例えば第１のパワースペクトルＦ2）を例えば０．１５Ｈｚ（Ｈf1）から０．４Ｈｚ（Ｈf2）まで定積分した値であり、図２において縦線によりハッチングがされている部分の面積である。ここで、Ｈf1＜Ｈf2である。図２では、Ｌf2とＨf1がいずれも０．１５Ｈｚと等しくなるように積分範囲を設定したが、Ｌf1＜Ｈf1およびＬf2＜Ｈf2の関係を満たしていれば、Ｌf2とＨf1は同一の値であっても異なる値でもよい。ここでは、パワースペクトル積分の方法を、第１のパワースペクトルＦ2を用いて説明したが、第２のパワースペクトルＦによる定積分も同様に行うことができる。
【００２６】  周波数スペクトル変換により得られるパワースペクトルは、血圧の変動に由来する成分でＭａｙｅｒ−Ｗａｖｅ関連成分ともいわれるＬＦと、呼吸に由来する成分ＨＦとに分けられる。血圧変動成分ＬＦは０．１Ｈｚ周辺のパワースペクトルであり、交感神経活動と副交感神経活動の双方に関連している。一方、呼吸由来の成分ＨＦは０．３Ｈｚ周辺のパワースペクトルで、副交感神経活動に関連していると考えられている。以上のことから、交感神経活動および副交感神経活動を示すＬＦの積分範囲は、少なくとも０．１Ｈｚを含み、Ｌf1＜０．１＜Ｌf2であることが好ましい。また、Ｌf1は０．０３Ｈｚ以上であることがより好ましく、０．０４Ｈｚ以上であることがさらに好ましい。また、Ｌf1は、０．０５Ｈｚ以下であることが好ましく、０．０４５Ｈｚ以下であることがより好ましい。Ｌf2は０．１３Ｈｚ以上であることが好ましく、０．１４Ｈｚ以上であることがより好ましく、また、０．１６Ｈｚ以下であることがより好ましく、０．１５Ｈｚ以下であることがよりさらに好ましい。また、副交感神経活動を示すＨＦの積分範囲は、少なくとも０．３Ｈｚを含み、Ｈf1＜０．３＜Ｈf2であることが好ましい。Ｈf1は０．１４Ｈｚ以上であることがより好ましく、０．１５Ｈｚ以上であることがさらに好ましく、また、０．１７Ｈｚ以下であってもよく、０．１６Ｈｚ以下であってもよいい。Ｈf2は０．３８Ｈｚ以上であることが好ましく、０．３９Ｈｚ以上であることがより好ましく、また、０．４１Ｈｚ以下であることがより好ましく、０．４Ｈｚ以下であることがさらに好ましい。
【００２７】  発明者らの検討の結果、集中した作業時には、ＲＲＩが小さくなり、かつ、副交感神経系活動が小さくなる、または、ＲＲＩが小さくなり、かつ、交感神経系活動が小さくなる現象が観察され、ＲＲＩと副交感神経系活動の指標、または、ＲＲＩと交感神経系活動の指標の二次元的に図示することにより被験者の心理・生理学状態を表示することができることがわかった。
【００２８】  例えば、作業者が最も良い心理・生理学状態と考える時のＲＲＩと副交感神経系活動の指標、または、ＲＲＩと交感神経系活動の指標を把握しておけば、イメージ訓練、メンタル訓練の際に、ＲＲＩと副交感神経系活動の指標、または、ＲＲＩと交感神経系活動の指標とが、その領域に近づくように訓練することができる。
【００２９】  本発明において、心電情報は生体接触型電極を介して経時的に電圧測定を行って得ることができる。なお電圧測定部の入力インピーダンスは１００ｋΩ以上、好ましくは３００ｋΩ以上、さらに好ましくは１ＭΩ以上である。上限は特に規定されない。
【００３０】  本発明の衣服型生体情報計測装置の母体となる衣服は２０％伸張応力が２０Ｎ以下である生地により作成される。また衣服圧は０．１ｋＰａ以上１．５ｋＰａ以下となるように設定される。衣服圧は標準体系の持ち主を前提としているが、衣服圧の許容範囲に入りように被験者の体系と衣服のサイズを調整すれば良い。  本発明では衣服圧が０．３ｋＰａ以上となる部分に皮膚接触型電極を配置する。一般に皮膚接触型電極は、確実なコンタクトを欲するために、必要以上の圧力で身体に接触させることが多い。しかしながら、そのような配置では被験者から違和感を取り除くことはできず、有効な生体情報を取得することはできない。
【００３１】  本発明では心電情報の代わりに、生体電位ではなく、血流量の変化を捉える脈波情報を用いる事も出来る。脈波は手首、または手指で計測することができる。また心電情報と心臓から離れた位置での脈波情報との差分から血圧に関連するパラメータを算出することが可能である。
【００３２】  次に、検出手段からの信号を処理する信号処理手段について説明する。心電情報からはＲ波の検出し、Ｒ波とＲ波との時間間隔（ＲＲＩ）を求める。Ｒ波は心電情報の波形の中で、最も振幅の大きい波である。図１に典型的な心電波形を示す。
【００３３】  本発明においては、被験者に違和感を与えない生体情報計測環境を実現しているため、脳波情報を用いず、心電情報のみからでもメンタル状態を評価することができる。
【００３４】    次に、メンタル評価結果を被計測者にリアルタイムに経時的に提示し続ける評価結果表示手段について説明する。心電信号からＲＲＩと副交感神経活動の指標、およびまたは交感神経活動の指標を導出した信号処理結果を、モニター画面に提示する。  好ましくは、経時変化がわかるように、Ｘ軸に心電情報のＲＲＩを、Ｙ軸に副交感神経活動の指標と交感神経活動の指標をとり、単位時間当たり（たとえば１秒毎）の値をプロットし続ける。時間経過を分かりやすくするために、色の濃度を経時的に変える、あるいは、１分毎に色を変える、などの方法をとると望ましい。長時間訓練するときは、表示間隔を１秒ではなく、もっと間隔を長くして結果を表示することも可能である。
【００３５】  訓練を開始して最初のプロットは中央を開始とする。そうすることで、変化を分かりやすく表示することができる。Ｘ軸、Ｙ軸のレンジも、画面全体を使って表示できるように、プロットが増えてくるに従いレンジを変更して表示すると良い。このようにして生理学的−心理学的生体情報を視覚化して提示することができる。なお本発明においてリアルタイムとはメンタル情報評価結果を得られる都度表示していくことを意味する。評価演算に時間を要する場合には、表示までにその時間分遅れることは容認される。
【００３６】  次に、具体的推奨行動を提示する行動提示手段について説明する。被計測者自身が操作する場合には、メンタル状態評価結果を見て、よりリラックスしたいと思った場合は、モニター上の希望メンタル選択画面の「リラックス」を選択する。それを受けて、「目を瞑って深呼吸をしてください」などの指示をモニターに表示する。より緊張状態にしたいという選択をされた場合は、「呼吸を故意に速くしてください」などの指示をモニター上に表示する。
【００３７】  被計測者がメンタル状態評価結果を見て、より覚醒したいと思った場合は、モニター上の希望のメンタル選択画面の「覚醒」を選択する。それを受けて、「目を瞑って趣味などの楽しみな予定を考えてください」などの指示をモニター上に表示する。より眠たくなりたい、という選択をされた場合は、「目を瞑って何も考えないようにしてください」などの指示をモニター上に表示する。具体的指示の内容は、上述の内容に限定されない。柔軟体操の指示や、食べ物を食べる指示も含まれる。また、メンタル状態を維持したい場合は、維持したいことを表す選択「変化無し」を選定する。これらの指示は、定時的に、あるいは心理生理学状態が大きく変化した際に危機側がそれを自動的に検知して、自動的に指示を提示するようにしてもよい。かかる表示方法は本発明の一例であり、これに限定されるものではない。
【００３８】  以上は、被験者自身が提示結果を見て操作する場合についての説明であったが、監督者、トレーナーが提示結果を見て、適宜行動提示を行う事も出来る。本システムを活用することにより、生理学データに基づいた適切な行動提示を行う事ができるようになり、より良質な訓練が行える。
【００３９】  本発明における皮膚接触型電極としては導電性ファブリックを用いた電極を用いることができる。導電性ファブリックとは少なくとも導電糸を含む繊維からなる織布、不織布、編物、刺繍糸、縫糸などである。  上記導電糸とは、繊維長１ｃｍあたりの抵抗値が１００Ω以下の糸が好ましい。上記導電糸とは、導電性繊維、導電性繊維の繊維束、導電性繊維を含む繊維から得られる撚糸、組み糸、紡績糸、混紡糸、金属線を極細に延伸した極細金属線、フィルムを極細の繊維状に切断した極細フィルムの総称である。  上記導電性繊維としては、例えば、金属で被覆された化学繊維または天然繊維、導電性金属酸化物で被覆された化学繊維または天然繊維、グラファイト、カーボン、カーボンナノチューブ、グラフェンなどのカーボン系導電性材料で被覆された化学繊維または天然繊維、導電性高分子で被覆された化学繊維または天然繊維などが挙げられる。  また、上記導電性繊維として、例えば、金属、導電性金属酸化物、カーボン系導電性材料、および導電性高分子よりなる群から選ばれる少なくとも１種の導電性材料を含む高分子材料を紡糸して得られた繊維を用いることができる。  上記導電性繊維の繊維束としては、例えば、上記導電性繊維のマイクロファイバーやナノファイバーなどからなる繊維束に、導電性フィラーや導電性高分子等を担持、含浸させて得られたものを用いることができる。
【００４０】  上記導電糸として、上記導電性繊維を含む繊維を用いて得られた撚糸、組み糸、紡績糸、混紡糸など用いてもよい。上記導電糸には、金属線を極細に延伸した極細金属線も包含される。  上記導電性繊維、上記導電性繊維の繊維束、上記導電性繊維を含む繊維から得られる撚糸、組み糸、紡績糸、混紡糸、上記極細金属線の平均直径は、２５０μｍ以下が好ましく、より好ましくは１２０μｍ以下、更に好ましくは８０μｍ以下、特に好ましくは５０μｍ以下である。  上記導電糸には、フィルムを極細の繊維状に切断した極細フィルムも包含され、上記極細フィルムとは、金属、導電性金属酸化物、カーボン系導電性材料、および導電性高分子よりなる群から選ばれる少なくとも１種の導電性材料を被覆した高分子フィルムを幅８００μｍ以下に切断して得られた繊維状フィルムを意味する。  上記導電糸のなかでも、金属で被覆された化学繊維、導電性高分子を担持、含浸させた導電性繊維の繊維束、および平均直径が５０μｍ以下の極細金属線よりなる群から選ばれる少なくとも１種を用いることが好ましい。
【００４１】  上記導電性ファブリックとしては、具体的には、非導電性の布帛に導電糸を刺繍した繊維構造体、非導電性の布帛に導電性高分子含有溶液を含浸、乾燥させた繊維構造体、導電性フィラーとバインダ樹脂とを含む溶液を含浸、乾燥させた繊維構造体などが挙げられる。これらのなかでも、非導電性の布帛に導電性高分子含有溶液を含浸、乾燥させた繊維構造体を用いることが好ましい。  上記導電性高分子としては、例えば、ポリ（３，４−エチレンジオキシチオフェン）とポリスチレンスルホン酸とを含む混合物を好ましく用いることができる。  上記導電糸を含む繊維としては、合成繊維マルチフィラメントが好ましく、該合成繊維マルチフィラメントの少なくとも一部が、繊度が３０ｄｔｅｘ未満の極細フィラメントであるか、或いは、繊度が４００ｄｔｅｘを超え、かつ単糸繊度が０．２ｄｔｅｘ以下の合成繊維マルチフィラメントであることが好ましい。  上記導電性ファブリックが、導電糸を含む繊維で構成された織物であるか、編み物である場合は、目付けは５０ｇ／ｍ2未満が好ましく、導電性高分子の脱落を防止できる。また、目付けは３００ｇ／ｍ2を超えることが好ましく、充分な導電性を確保できる。
【００４２】  本発明の皮膚接触電極としては、伸縮性導体組成物を用いた電極を用いる事ができる。上記伸縮性導体層とは、伸縮性を有し、且つ比抵抗が１×１０0Ωｃｍ以下の層を意味する。上記伸縮性とは、導電性を保った状態で、繰り返し１０％以上の伸縮が可能であることを意味する。上記伸縮性導体層は、層単独で４０％以上の破断伸度を有することが好ましい。破断伸度は、より好ましくは５０％以上、更に好ましくは８０％以上である。  破断伸度は、導電性ペーストを離型シート上に所定の膜厚に塗布し、乾燥後に剥離し、引張試験を行って測定できる。  上記伸縮性導体層は、引張弾性率が１０〜５００ＭＰａであることが好ましい。  上記伸縮性導体層の平均厚さは、例えば２０μｍ以上が好ましく、５０μｍ以下が好ましい。平均厚さは、より好ましくは５００μｍ以下、更に好ましくは２５０μｍ以下、特に好ましくは９０μｍ以下である。
【００４３】  このような伸縮性導体層を形成できる材料を、以下、伸縮性導体層用組成物とよぶことがある。上記伸縮性導体層は、例えば、伸縮性導体層用組成物として導電性ペーストを用いて形成できる。  導電性ペーストは、少なくとも（ｉ）導電性粒子、（ｉｉ）柔軟性樹脂、および（ｉｉｉ）溶剤を含むものである。
【００４４】  （ｉ）導電性粒子  上記導電性粒子とは、比抵抗が１×１０-1Ωｃｍ以下の粒子を意味する。  上記比抵抗が１×１０-1Ωｃｍ以下の粒子としては、例えば、金属粒子、合金粒子、カーボン粒子、カーボンナノチューブ粒子、ドーピングされた半導体粒子、導電性高分子粒子、ハイブリッド粒子などが挙げられる。  上記金属粒子としては、例えば、銀粒子、金粒子、白金粒子、パラジウム粒子、銅粒子、ニッケル粒子、アルミニウム粒子、亜鉛粒子、鉛粒子、錫粒子などが挙げられる。  上記合金粒子としては、例えば、黄銅粒子、青銅粒子、白銅粒子、半田粒子などが挙げられる。上記ドーピングされた半導体粒子としては、例えば、錫の酸化物、インジウムと錫の複合酸化物などが挙げられる。上記導電性高分子粒子としては、例えば、ポリ（３，４−エチレンジオキシチオフェン）とポリスチレンスルホン酸とを含む混合物からなる粒子や、金属被覆した高分子粒子が挙げられる。上記ハイブリッド粒子としては、例えば、金属被覆した金属粒子、金属被覆したガラス粒子、金属被覆したセラミック粒子などが挙げられる。上記金属被覆した金属粒子としては、例えば、銀被覆銅粒子が挙げられる。
【００４５】  上記導電性粒子の平均粒子径は、例えば、１００μｍ以下が好ましく、より好ましくは３０μｍ以下、更に好ましくは１２μｍ以下である。上記平均粒子径の下限は特に限定されないが、例えば、０．０８μｍ以上である。
【００４６】  上記粒子は、例えば、フレーク状粉であってもよいし、不定形凝集粉であってもよい。例えば、上記銀粒子としては、フレーク状銀粒子や不定形凝集銀粉を用いることができる。  上記フレーク状粉の平均粒子径は、動的光散乱法により測定した平均粒子径（５０％Ｄ）が、例えば、０．５〜２０μｍであるものが好ましい。平均粒子径が０．５μｍ未満では、粒子同士が接触できないことがあり、導電性が悪化するおそれがある。平均粒子径は、より好ましくは３μｍ以上、更に好ましくは５μｍ以上である。しかし、平均粒子径が２０μｍを超えると、微細な配線の形成が困難になることがある。また、スクリーン印刷などを行うと、目詰まりすることがある。平均粒子径は、より好ましくは１５μｍ以下、更に好ましくは１２μｍ以下である。  上記不定形凝集粉の平均粒子径は、光錯乱法により測定した平均粒子径（５０％Ｄ）が、例えば、１〜２０μｍであるものが好ましい。平均粒子径が１μｍ未満では、凝集粉としての効果が失われ、導電性を維持できないことがある。平均粒子径は、より好ましくは３μｍ以上、更に好ましくは５μｍ以上である。しかし、平均粒子径が２０μｍを超えると、溶剤への分散性が低下し、ペースト化が難しくなる。平均粒子径は、より好ましくは１５μｍ以下、更に好ましくは１２μｍ以下である。
【００４７】  （ｉｉ）柔軟性樹脂  上記柔軟性樹脂とは、弾性率が１〜１０００ＭＰａの熱可塑性樹脂、熱硬化性樹脂、ゴムなどを用いることができる。膜の伸縮性を発現させるために、ゴムを用いることが好ましい。上記弾性率は、好ましくは３ＭＰａ以上、より好ましくは１０ＭＰａ以上、更に好ましくは３０ＭＰａ以上である。上記弾性率は、好ましくは６００ＭＰａ以下、より好ましく５００ＭＰａ以下、更に好ましくは３００ＭＰａ以下である。  上記熱可塑性樹脂としては、例えば、ポリエチレン、ポリ塩化ビニル、ポリスチレン、ポリ酢酸ビニル、ポリウレタン、アクリル樹脂、ポリアミド、ポリエステルなどを用いることができる。上記熱硬化性樹脂としては、例えば、フェノール樹脂、エポキシ樹脂、メラミン樹脂、シリコーン樹脂などを用いることができる。
【００４８】  上記ゴムとしては、例えば、ウレタンゴム、アクリルゴム、シリコーンゴム、ブタジエンゴム、ニトリルゴムや水素化ニトリルゴムなどのニトリル基含有ゴム、イソプレンゴム、硫化ゴム、スチレンブタジエンゴム、ブチルゴム、クロロプレンゴム、クロロスルホン化ポリエチレンゴム、エチレンプロピレンゴム、フッ化ビニリデンコポリマーなどが挙げられる。これらの中でも、ニトリル基含有ゴム、クロロプレンゴム、クロロスルホン化ポリエチレンゴムが好ましく、ニトリル基含有ゴムが特に好ましい。  上記ニトリル基含有ゴムは、ニトリル基を含有するゴムやエラストマーであれば特に限定されず、例えば、ニトリルゴムと水素化ニトリルゴムが好ましい。ニトリルゴムはブタジエンとアクリロニトリルの共重合体であり、結合アクリロニトリル量が多いと金属との親和性が増加するが、伸縮性に寄与するゴム弾性は逆に減少する。従って、アクリロニトリル−ブタジエン共重合体ゴム中の結合アクリロニトリル量は１８〜５０質量％が好ましく、より好ましくは４０〜５０質量％である。
【００４９】  上記柔軟性樹脂の配合量は、導電性粒子と柔軟性樹脂の合計に対して、７〜３５質量％であり、より好ましくは９質量％以上、更に好ましくは１２質量％以上、より好ましくは２８質量％以下、更に好ましくは２０質量％以下である。
【００５０】  （ｉｉｉ）溶剤  上記溶剤は特に限定されず、公知の有機溶媒または水系溶媒を用いることができる。  上記電極の表面、即ち、装着者の肌に接触する側には、電極表面層を有することが好ましい。一方、上記電極と上記布帛部との境界には、絶縁性を高めるために、下地層を有することが好ましい。
【００５１】  （電極表面層）  上記電極表面層としては、例えば、貴金属メッキ層、不動態形成により酸化しにくい金属層、耐食性合金層、カーボン層、伸縮性導電層などが挙げられ、単独で、あるいは２種以上を積層して設けてもよい。  上記貴金属メッキ層としては、例えば、金、銀、白金、ロジウム、およびルテニウムよりなる群から選ばれる少なくとも１種の層が挙げられる。  上記不動態形成により酸化しにくい金属層としては、例えば、クロム、モリブデン、タングステン、およびニッケルよりなる群から選ばれる１種の層が挙げられる。  上記耐食性合金層としては、例えば、モネル合金などの層が挙げられる。  上記カーボン層は、上記電極の表面に、例えば、カーボンペーストなどを印刷して層を形成することが好ましい。  上記伸縮性導電層としては、例えば、導電性フィラーと柔軟性樹脂などを含む伸縮性導電組成物を用いて層を形成することが好ましい。
【００５２】  本発明の皮膚接触型電極としては導電性ゲルを用いることができる、ここに導電性ゲルとは医療機器において用いる皮膚接触型電極の表面に用いられるゲル電極材料と解釈して良い。
【実施例】
【００５３】［導電ペーストの調整］  バインダとして、三洋化成工業株式会社製コートロンＫＹＵ−１（ガラス転移温度−３５℃）、銀粒子として三井金属鉱業株式会社製微小径銀粉ＳＰＨ０２Ｊ（平均粒子径１．２μｍ）、カーボン粒子としてライオン・スペシャリティ・ケミカルズ株式会社製ケッチェンブラックＥＣ６００ＪＤ、溶剤としてブチルカルビトールアセテートを用い、バインダ１０質量部、銀粒子７０質量部、カーボン粒子１質量部、溶剤１９質量部の配合において伸縮性導体形成用の導電ペーストを調整した。  まず、所定の溶剤量の半分量の溶剤にバインダ樹脂を溶解し、得られた溶液に金属系粒子、炭素系粒子を添加して予備混合の後、三本ロールミルにて分散することによりペースト化した。  得られた伸縮性導体形成用ペーストを厚さが２５μｍとなるようにスクリーン印刷し、１００度にて２０分間乾燥して得られた伸縮性導体層（伸縮性導体シート）は、初期の比抵抗が２５０μΩ・ｃｍであり２０％伸張を１００回繰り返した後も導電性を維持するストレッチャビリティを有していた。【００５４】［伸縮性カーボンペーストの調製］表２に示す組成により、電極保護層用のカーボンペーストを調整した。  ガラス転移温度が−１９℃のニトリルブタジエンゴム樹脂を４０質量部、ライオン・スペシャリティ・ケミカルズ株式会社製ケッチェンブラックＥＣ３００Ｊを２０質量部、溶剤としてエチレングリコールモノエチルエーテルアセテート５０質量部を予備核酸の後三本ロールミルにて分散化し、伸縮性カーボンペーストを得た。【００５５】  表面をシリコーン系離型剤により処理されたＰＥＴ製離型シートに、電極部分とコネクタ部が切り抜かれた所定形状のウレタンシート（絶縁カバー層に相当）を仮接着し、電極部分に伸縮性カーボンペーストをスクリーン印刷し、さらに伸縮性導体ペーストを電極部分からコネクタ位置まで所定パターンで印刷し、さらにウレタンシートを覆うように両面ホットメルトシート（絶縁下地層に相当）をラミネートして離型シート上に電極と配線を形成した。  得られた離型シート上に形成された電極と配線は、衣服用の生地に両面ホットメルトシート側が触れるように重ね、ホットプレスにより加熱加圧することにより電極と配線を絶縁下地層、絶縁カバー層とともに電極支持部に転写することができる。【００５６】＜実施例１＞  ２０％伸張応力が７Ｎの生地を用いたスポーツシャツの胸部分に２０％伸張応力が０．５Ｎである伸縮性導体組成物からなる心電情報計測用電極、同じ素材を用いて腕回りに筋電分布測定電極（左右の腕の各々に各８点を配置）を取り付け、さらに２０％伸張応力が１．２Ｎである伸縮性キャパシタを胸回りに設置し、電極電位と伸縮性キャパシタの容量変化を検出し、携帯端末に送信するための電子ユニット取り付けて、心電情報、筋電分布情報、呼吸情報を同時測定することができる衣服型の生体情報計測装置を作成した。得られた生体情報計測装置を被験者に着用させたところ、最大衣服圧は０．６ｋＰａ、心電情報計測用電極設置部の衣服圧は０．４ｋＰａ、筋電測定電極設置部の衣服圧は０．６ｋＰａであった。なお伸縮性導体組成物による電極は先に得られた、離型シート上に形成された電極と配線をホットプ��スにより転写することにより作製した。前記電子ユニットには温度計、ＧＰＳによる位置情報、ＸＹＺ各軸への加速度センサが搭載されており、同様に携帯端末に情報送信が可能である。【００５７】  衣服型の生体情報計測装置から得られた心電情報から、ＲＲＩ、副交感神経系活動の指標、交感神経活動の指標を求め、ＲＲＩと副交感神経活動の指標をそれぞれＸＹ軸に用いたチャート、およびＲＲＩと交感神経活動の指標をそれぞれＸＹ軸に用いたチャートを描画し、タブレット端末に表示するようにして生体情報提示システムを得た。  衣服型生体情報計測装置を被験者に着用させ、タブレットをトレーナーが観察するようにした。被験者は自動車レースのドライバーである。非乗車時（待機中）、イメトレ時（イメージトレーニング中）、乗車時（本戦レース中）の被験者の基本的パラメータ：心電（心拍）、呼吸、筋電、体表面温度を検出し、心電情報からＲＲＩ、交感神経活動の指標、副交感神経活動の指標を算出し被験者の緊張・リラックス度合いをタブレット端末にて監督者であるトレーナーが観測しつつ、適宜指示を出しながら訓練および、本戦レース競技を行った。  結果、被験者のメンタル状態、生理学状態（疲労状態など）をもとに神経集中しつつも、過度に緊張しない状態に誘導するように指示をだすことができた。【００５８】＜実施例２＞  ２０％伸張応力が５Ｎの生地を用いたスポーツブラジャーのアンダーバスト部分に導電性ファブリックからなる心電情報計測用電極と、２０％伸張応力が１．２Ｎである伸縮性キャパシタを設置し、電極電位と伸縮性キャパシタの容量変化を検出し、携帯端末に送信するための電子ユニット取り付けて、心電情報と呼吸情報を同時測定することができる衣服型の生体情報計測装置を作成した。得られた生体情報計測装置を被験者に着用させたところ、最大衣服圧は０．８５ｋＰａ、心電情報計測用電極設置部の衣服圧は０．８ｋＰａであった。【００５９】   実施例１と同様に、得られた心電情報から、ＲＲＩ、副交感神経系活動の指標、交感神経活動の指標を求め、ＲＲＩと副交感神経活動の指標をそれぞれＸＹ軸に用いたチャート、およびＲＲＩと交感神経活動の指標をそれぞれＸＹ軸に用いたチャートを描画し、タブレット端末に表示するようにして生体情報提示システムを得た。  衣服型生体情報計測装置を被験者に着用させ、タブレットをトレーナーが観察するようにして、被験者のトレーニングを行った、被験者は声楽家である。実施例１と同様に被験者の各種パラメータを練習時、リハーサル時、ゲネプロ時、リサイタル（本番）時に取得し、本番舞台に向かう際のイメージトレーニングに活用した結果、リサイタル時にも必要以上に緊張することなく、伸びやかな芸術表現が行えるようになった。
【産業上の利用可能性】
【００６０】  以上述べてきたように、本発明の生体情報提示システムは、着用者に違和感を与えることなく、自然な状態での訓練中の生体情報取得が可能であり、かかるシステムを用いる事により効率的な訓練を実施することができる。  本発明は、男性、女性を問わず広範囲に適用することができ、たとえば球技、体操、水泳、射撃、弓道、アーチェリー、投擲競技、格闘技などなどの各種スポーツ訓練に、また  自動車、船舶、飛行機、土木用重機、などの運転訓練に、さらに木工作業、鉄工作業、彫金、縫製作業、歯科技工、医療手術、料理などの技能訓練に、あるいは管楽器、弦楽器、打楽器、声楽などの演奏訓練、書道、カリグラフ、彫刻、刺繍、絵画、などの芸術訓練に幅広く利用することができる。
【符号の説明】
【００６１】                ０：被計測者                １：生体情報検出手段                ２：信号処理手段                ３：評価手段                ４：評価結果の提示手段                ５：行動提示手段    
【図１】
2019077984.tif 000003
【図２】
2019077984.tif 000004
【図３】
2019077984.tif 000005
【図４】
2019077984.tif 000006
【図５】
2019077984.tif 000007
【国際調査報告】
2019077984.tif 000008
2019077984.tif 000009
2019077984.tif 000010